(57)【要約】      （修正有）【課題】肌に振動を伝える装置で、振動発振源に音響信号を使用し、肌に高音域の振動を伝え、スムーズな可感振動を伝達し、感動を伝える。【解決手段】可感振動数領域内の振動１を使用して可感振動による振動芸術の楽曲を編集３し、その電気信号をＣＤなどの電気信号記憶素子に記録３する。その電気信号記憶素子の電気信号を従来技術の肌に振動を伝える装置に送り、振動発振源として使用する。その振動板を肌に接触すれば、振動芸術の楽曲の可感振動がスムーズに伝達され感動を享受できる。【選択図】図１
2010204619.tif 000002
【特許請求の範囲】
【請求項１】
様々な物体の振動を使用し、可感周波数領域内の振動を材料として、種々に組み立て、可感振動による振動芸術の楽曲を創作。その楽曲を奏する物体の振動によって電気音響変換収録器の振動板を駆動し、振動板に生じる機械的振動を電気的振動に変換する。この変換された電気的振動である電気信号を、電気信号記録装置によって電気信号記憶素子に記録したもの。
【請求項２】
様々な物体の振動によって電気音響変換収録器の振動板を駆動し、振動板に生じる機械的振動を電気的振動に変換する。その変換された電気的振動を使用して、可感周波数領域内の振動を材料に種々に組み立て、可感振動による振動芸術の楽曲に編集する。この編集された振動芸術の楽曲の電気的振動である電気信号を、電気信号記録装置によって電気信号記憶素子に記録したもの。
【請求項３】
様々な電気回路によって発生する発振動を使用して、可感周波数領域内の振動を材料に種々に組み立て、可感振動による振動芸術の楽曲に編集する。この編集された振動芸術の楽曲の電気的振動である電気信号を、電気信号記録装置によって電気信号記憶素子に記録したもの。
【発明の詳細な説明】
【技術分野】
【０００１】  本発明は、肌に振動芸術の楽曲を伝達し、この感動を享受するための装置に関するものです。
【背景技術】
【０００２】  従来技術で、肌に振動を伝える装置の振動発振源は、広くマッサージ機に使用されている電動モータによるローラ回転（特許文献１）がある。
また超音波美肌装置に使用されている超音波振動素子（特許文献２）がある。
または、体感振動装置に使用されている音響信号を機械的振動に変換する体感振動素子（特許文献３）があります。【０００３】
【特許文献１】特開平９−１０８２８６  マッサージ機
【特許文献２】特開２０００−２６２３２７  超音波美肌装置
【特許文献３】特開平７−２５５８０８体感振動装置及び体感振動素子とその装着具
【発明の開示】
【発明が解決しようとする課題】
【０００４】  従来技術の肌に振動を伝える装置の振動発振源で、広くマッサージ機に使用されている電動モータによるローラ回転の振動は、単純な繰り返しの受動振動であるため、肌に感動を与えるものでなく、人間の創作意志が存在しないので、振動芸術の楽曲とはならない。
また超音波美肌装置に使用されている超音波振動素子の振動は、超音波による受動振動であるため、可感周波数の領域を超えており、肌に可感振動を与えるものでなく、人間の創作意志が存在しないので、振動芸術の楽曲とはならない。
または、体感振動装置に使用されている体感振動素子の振動は、音響信号を機械的振動に変換した受動振動であるため、音として耳に伝わる周波数の領域と、肌に感動が伝わる周波数の領域には差があり、高音域即ち高周波数域では感動が伝わらず、音響信号から発生する受動振動のみでは可感振動がとぎれとぎれとなり、感動を与えることは難しく、受動振動に人間の創作意志が存在しないので、振動芸術の楽曲とはならない。【０００５】  従来技術で、音響信号をオーディオＣＤなどの電気信号記憶素子に記録したものは数多くある。本発明は、肌に直接感動を与える可感周波数領域内の可感振動による振動芸術の楽曲を目指しており、音のない世界で感動を伝えようとしています。【０００６】  音響とは、物体の振動が空気中を伝播し、耳に音として伝わる音響力学であり、音楽も音による芸術（広辞苑）故、この分野に含まれる。これに対して、本発明の振動芸術の楽曲は肌に振動を直接伝える音のない世界です。
耳で感じ取る可聴周波数の領域は広く、肌で感じ取る可感周波数の領域は狭い。本発明の振動芸術の楽曲は、肌で直接振動を感じ取る可感振動の芸術を目的としており、空気を媒体として耳に伝わる音響力学とは区別します。【０００７】  可感周波数とは、音の可聴周波数に対峠して、人の肌に感じ取れる受動振動の周波数領域のことと定義する。可聴周波数は人の耳に聴き取れる音の周波数領域で、普通には２０Ｈｚから２０００００Ｈｚまでの範囲とされている。これに対して、可感周波数は肌に感じ取れない高周波数域などを除き、人の肌に感じ取れる受動振動の周波数領域としています。可聴周波数とは区別します。【０００８】  可感振動とは、音の可聴音に対峙して、前記可感周波数に定義された、人の肌に感じ取れる周波数領域の受動振動のことと定義する。可聴音とは区別します。
本発明の振動芸術の楽曲は、この可感振動によるものです。
【課題を解決するための手段】
【０００９】  様々な物体の振動を使用し、可感周波数領域内の振動を材料として、種々に組み立て、可感振動による振動芸術の楽曲を創作。その楽曲には強さ、高さ、大きさは必然的に含まれる。目的に見合った感動を与える振動芸術の楽曲でなければならない。その楽曲を奏する物体の振動によって電気音響変換収録器の振動板を駆動し、振動板に機械的振動を与え、電気的振動に変換し、可感振動による振動芸術の楽曲の電気信号を得る。【００１０】  また様々な物体の振動によって電気音響変換収録器の振動板を駆動し、振動板に機械的振動与え、電気的振動に変換した電気信号を可感周波数領域内の振動を材料に種々に組み立て、可感振動による振動芸術の楽曲に編集し、その電気信号を得る。その楽曲には強さ、高さ、大きさは必然的に含まれる。【００１１】  または、様々な電気回路にによって発生する発振動を使用して、可感周波数領域内の振動を材料に種々に組み立て、可感振動による振動芸術の楽曲に編集し、その電気的振動である電気信号を得る。その楽曲には強さ、高さ、大きさは必然的に含まれる。【００１２】  そして、前記３種類の振動芸術の楽曲の電気信号を、電気信号記録装置によって、それぞれＣＤなどの電気信号記憶素子に記録したものが本発明である。またそれぞれを組み合わせることもできる。【００１３】  従来技術の肌に振動を伝える装置で、振動発振源に音響信号を使用しているものは、肌に高音域などの受動振動がうまく伝わらず、感動がうまく伝わらないという欠点があった。それは可感振動が創作意志の存在しない受動振動によるためである。音響信号は芸術であっても受動振動は芸術になっていないからである。従来技術のそれは、芸術ではなく、ただ創作意志の存在しない雑振を感じていただけなのである。従うに受動振動のみの単独使用では感動はあり得なく、映像や音楽と組み合わせなければ感動は伝わらなかった。
それを克服するための代替として、本発明の肌に振動芸術の楽曲を伝える素子の電気信号を使用して振動発振源とし、肌に芸術による受動振動を与えるのです。そこには人間の創作意志が存在するので、本発明を単独使用しても感動は享受できます。【００１４】  従来技術の肌に振動を伝える装置で、振動発振源に音響信号を使用しているものは、以下に示すものがある。振動発振源の音響信号を本発明の振動芸術の楽曲の電気信号に置き換えて使用します。
【特許文献３】特開平７−２５５８０８体感振動装置及び体感振動素子とその装着具
【特許文献４】特開平５−３００９４３  体感音響振動器
【特許文献５】特許第３５５４５４８号  肌に音の微妙な振動を伝える装置
【００１５】  芸術には人間の創作意志が存在しなければならない。このことは本願の根幹としています。
【発明の効果】
【００１６】  日々、肌に伝わる振動は雑多である。それら多くの振動は不協和感があり、振動芸術の楽曲とはかけ離れている。音もしかり、日々、耳に到達する音も雑多である。けれども人間は音を音楽という芸術にまで高めて、感動を享受するようになった。
物体の振動が肌に伝わる領域は、鼓膜程広くない。しかし、肌に伝える振動も快適な振動芸術の楽曲という芸術にまで高めれば、必ず感動を享受できます。
【発明を実施するための最良の形態】
【００１７】  本発明の振動芸術の楽曲の電気信号をＣＤなどの電気信号記憶素子に記録する。この電気信号を従来技術の肌に振動を伝える装置に送り、機械的振動に導き、振動芸術の楽曲を再生する。そしてその振動板を肌に接触し、可感振動を受けて感動を享受します。従来技術の肌に振動を伝える装置があれば、いつでも、どこでも、何回でも享受することができます。
【実施例】
【００１８】  本発明の振動芸術の楽曲の電気信号を映像や音楽と完全に調和させた信号をＣＤなどの電気信号記憶素子に記録する。その電気信号を従来技術の肌に振動を伝える装置に送り、機械的振動に導き、振動芸術の楽曲を再生する。映像や音楽と共にこの可感振動も人体に伝え、見、聞、感を同時に進行させれば、一層の臨場感を享受することができます。【００１９】  ウォシュレットの便座に従来技術の肌に振動を伝える装置を組み込み、便器を使用する時、本発明の振動芸術の楽曲の電気信号をその便座に送ると、肌に快適な可感振動を受けることができます。
音のない世界ですから、他の人に迷惑はかからない。電動モータによるローラ回転の振動よりも迷惑は少ない。【００２０】  本発明の振動芸術の楽曲を、話し言葉のようにいろいろ取り決めをしておけば、聴覚障害者の方も従来技術の肌に振動を伝える装置に触れるだけで、すぐに意味が通じ、すばやく行動することができます。例えばラジオから流れる緊急避難情報と同じ電波に、本発明の信号を乗せておけば、一刻を急ぐ時、非常に役立つと思われる。受信側は、当然ラジオに従来技術の肌に振動を伝える装置をセットしておくことは必要ですが、スピーカーは不備でもよいのでは。
【産業上の利用可能性】
【００２１】  本発明の、肌に振動芸術の楽曲を伝える素子は、持ち運びが自由で、取り付け場所に合わせた従来技術の肌に振動を伝える装置に、その電気信号を送れば、いつでも、どこでも、何回でも、肌に受動振動による芸術を享受することができます。
【図面の簡単な説明】
【００２２】
【図１】  本発明を端的に示すフローチャート
【図２】  本発明を使用し受動を端的に示すフローチャート
【符号の説明】
【００２３】  １        機械的振動
２        電気信号
３        振動芸術の楽曲の電気信号
４        振動芸術の楽曲の機械的振動
【図１】
2010204619.tif 000003
【図２】
2010204619.tif 000004